(57)【要約】【課題】  マイクロホンの操作技術に精通していない利用者であっても、自らが持ちやすい位置にマイクロホンを保持したまま、好適な声圧を確保することを可能とする。【解決手段】  声圧を電気信号に変換するマイクユニット１２を有するマイクロホン１０において、マイクユニット１２を、グリップ部１１の長手方向に沿って移動可能に支持する支持手段と、マイクユニット１２を任意の位置に移動させる移動手段と、を備える。支持手段及び移動手段は、例えば、グリップ部１１を構成する回転駆動部１４、回転ネジ部１５ｂ、回転抑制板１７ｂ、マイクユニット１２を構成する筐体１８、移動ネジ部１５ａ、回転抑制板１７ａからなる。【選択図】  図１
2010278880.tif 000002
【特許請求の範囲】
【請求項１】
声圧を電気信号に変換するマイクユニットを有するマイクロホンにおいて、
前記マイクユニットを、グリップ部の長手方向に沿って移動可能に支持する支持手段と、
前記マイクユニットを任意の位置に移動させる移動手段と、
を備えたことを特徴とするマイクユニット位置の調節機構付きマイクロホン。
【請求項２】
請求項１記載のマイクユニット位置の調節機構付きマイクロホンを備えたカラオケシステムであって、
予め、各利用者が所望するマイクユニット位置データを取得し、当該マイクユニット位置データに各利用者の利用者ＩＤを付帯させて所定の記憶部に記憶させる利用者別マイクユニット位置データ記憶手段と、
現にマイクロホンを使用する利用者の利用者ＩＤに対応した前記マイクユニット位置データに基づく移動位置となるように、前記移動手段を制御する移動位置制御手段と、
を備えたことを特徴とするカラオケシステム。
【発明の詳細な説明】
【技術分野】
【０００１】
本発明は、カラオケ等で使用するためのマイクロホン及びこれを用いたカラオケシステムに関するものであり、特に歌唱者の好みに応じてそれぞれ異なる口元とマイクユニットとの距離に対応させて、好適な声圧を得ることができるようにしたマイクユニット位置の調節機構付きマイクロホン及びこれを備えたカラオケシステムに関するものである。
【背景技術】
【０００２】
人の声をアンプで増幅して出力するためのインターフェイスとしてマイクロホンが用いられている。このようなマイクロホンは、大別してダイナミックマイクとコンデンサマイクとからなる。ダイナミックマイクは、カラオケ歌唱に好適に用いられるものであり、コイルを永久磁石の近傍で振動させると、コイル内の磁束が変化してコイルに起電力が発生する（電磁誘導）原理を利用したものである。ダイナミックマイクのマイクユニットは、コイルをドーム状に形成したプラスチックの振動板（ダイヤフラム）に固定し、このダイヤフラムが音波を受けて振動し、磁界内でコイルが動くことにより音声信号を得る構造となっている。
【０００３】
また、コンデンサマイクは、プロ歌手のレコーディングに好適に用いられるものであり、高抵抗を介してコンデンサの電極間に直流電圧を印加すると、静電容量の変化を電圧の変化として取り出すことができる原理を利用したものである。すなわち、コンデンサマイクでは、振動に応じて電極間の距離が変化することで、音声信号に比例した静電容量の変化が発生する。コンデンサマイクのマイクユニットは、互いに平行な２枚の金属板を近接させてなるコンデンサの一方をダイヤフラム（蒸着金属を貼り付けたプラスチックフィルムや金属薄膜等）に置き換えた構造となっている。
【０００４】
ところで、マイクロホンは、使用する状況や使用者の持ち方等に応じて音質が変化することが知られている。例えば、同一のマイクロホンを用いてスピーチを行う場合と歌唱を行う場合とでは音響抵抗が異なるため、低域特性の調整が必要となる。このため、従来のマイクロホンは、マイクユニットの電気的出力回路に対して、チョークコイルとスイッチとからなる直列回路を並列に接続し、スイッチを切り替えることにより、チョークコイルがマイクユニットに並列に接続し、あるいは非接続となり、これにより低域特性を変化させるようにしていた。また、低域特性の調整を行うことができるマイクロホンにおいて、インピーダンス変動を抑制すると共に、コストを低減することを目的としたマイクロホンが提案されている（特許文献１参照）。
【０００５】
この特許文献１に記載されたマイクロホンは、マイクユニットの背部気室と外部との間に窓付き回転シャッター機構を設け、この回転シャッター機構の開度により、背部気室と外部との連通度を変化させたり、マイクユニットの背部気室を複数設け、複数個の背部気室の間に、各背部気室間の連通度を変える弁機構を設け、この弁機構の開度を変化させたりすることにより、音響抵抗を調整するようにしている。
【先行技術文献】
【特許文献】
【０００６】
【特許文献１】特開平７−１５７８１号公報
【発明の概要】
【発明が解決しようとする課題】
【０００７】
ところで、カラオケシステムが普及した現在では、プロ歌手だけではなく一般人であっても気軽に歌唱を行うことができるようになっている。そして、歌唱技術に精通してくると、マイクロホンの使い方にも神経を使うようになる。例えば、歌唱するカラオケ楽曲に応じて、歌唱者の口元からマイクロホンの風防までの距離を微妙に変化させることにより、より一層、歌唱の旨さが強調されることになる。すなわち、無指向性の点音源からの音の強さ（声圧）は、音源からの距離の二乗に反比例するため、歌唱者の口元から風防、厳密には、口元からマイクユニットの振動板までの距離（マイクポジション）は、マイクロホンに入力される声圧に影響して、音声出力に微妙な影響を与える。また、マイクロホンは、その構造や使用部品等の種々の特性により、歌唱に最適となるようなマイクポジション（いわゆる音の吸い込みが良いマイクポジション）が決まっている。そこで、マイクロホンの操作技術が高い歌唱者は、好適な声圧を確保するため、その経験に基づいて、歌唱の途中あるいは楽曲毎に、口元からマイクユニットの振動板までの距離を調整している。
【０００８】
しかし、マイクロホンを持って歌唱を行う場合に、その持ち易い位置は人によって様々であり、マイクロホンの操作技術が高くない歌唱者の場合には、マイクロホンの位置を調整することなく、自らが持ちやすい位置にマイクロホンを保持したまま歌唱を行うことになり、歌唱に最適なマイクポジションを維持することは難しい。すなわち、マイクポジションを微調整する技術を持たない歌唱者の場合には、歌唱者自身が最も歌いやすい位置でマイクロホンを持ったまま歌唱を行うことになり、自らの歌唱音声をはっきり聞き取ることができない等、歌唱の楽しさを十分に味わうことができない場合があった。
【０００９】
本発明は、上述した事情に鑑み提案されたもので、マイクロホンの操作技術に精通していない利用者であっても、自らが持ちやすい位置にマイクロホンを保持したままで、好適な声圧を確保することが可能なマイクロホンを提供することを目的とする。
【００１０】
なお、上述した特許文献１に記載された技術は、スピーカとボーカルとを供用するマイクロホンにおいて、マイクロホンの音質調整を行うことを目的としたものであるが、本発明のように、歌唱者毎に異なる好みのマイクポジションを維持したまま、音声出力を好適に調整することを考慮したものではない。
【課題を解決するための手段】
【００１１】
本発明のマイクユニット位置の調節機構付きマイクロホンは、上述した目的を達成するため、以下の特徴点を有している。すなわち、本発明のマイクユニット位置の調節機構付きマイクロホンは、声圧を電気信号に変換するマイクユニットを有するマイクロホンにおいて、マイクユニットを、グリップ部の長手方向に沿って移動可能に支持する支持手段と、マイクユニットを任意の位置に移動させる移動手段と、を備えたことを特徴とするものである。なお、グリップ部の長手方向とは、マイクロホンの利用者が、グリップ部を握ってマイクロホンを持ち、その先端部（例えば風防）と口元との距離を一定に保った場合に、口元とマイクユニット（振動板）との距離が近づいたり、遠のいたりする方向のことをいう。
【００１２】
このような構成からなるマイクロホンでは、支持手段により、マイクユニットがグリップの長手方向に沿って移動可能に支持されている。そして、移動手段により、マイクユニットを任意の位置に移動させることができる。
【００１３】
支持手段は、例えば、筒状のグリップ部の内部にマイクユニットを挿通して支持する機構からなる。また、移動手段は、例えば、筒状のグリップ部の内周面と、マイクユニットの外周面にそれぞれ設けられ、互いに噛み合うネジ部により構成される。また、移動手段に支持手段の機能を兼ね備えさせてもよい。
【００１４】
また、本発明のカラオケシステムは、上記したマイクロホンを備えており、予め、各利用者が所望するマイクユニット位置データを取得し、当該マイクユニット位置データに各利用者の利用者ＩＤを付帯させて所定の記憶部に記憶させる利用者別マイクユニット位置データ記憶手段と、現にマイクロホンを使用する利用者の利用者ＩＤに対応したマイクユニット位置データに基づく移動位置となるように、移動手段を制御する移動位置制御手段と、を備えたことを特徴とするものである。
【００１５】
このような構成からなるマイクロホンでは、利用者別マイクユニット位置データ記憶手段により、各利用者が所望するマイクユニット位置データに利用者ＩＤを付帯させて、ＨＤＤ等の記憶手段に記憶することができる。そして、例えば、カラオケ装置でカラオケ楽曲が演奏される際に、移動位置制御手段により、予約待ち行列に記憶された利用者ＩＤに対応するマイクユニット位置データに基づき移動手段を制御して、当該利用者が所望する位置にマイクユニットを移動させる。
【００１６】
この場合、移動手段は、例えば、マイクユニットに接続されたラックギヤと、このラックギヤと噛み合うピニオンギヤと、ピニオンギヤを回転させるステッピングモータとからなる。そして、利用者が選曲予約を行う際に、楽曲ＩＤに利用者ＩＤを付帯させて予約待ち行列に登録する。これにより、現にマイクロホンを使用する歌唱者（選曲予約者）の利用者ＩＤを特定することができる。
【００１７】
また、利用者別マイクユニット位置データ記憶手段は、例えば、移動位置の設定モードとされたマイクロホンにおいて、カラオケシステムへのログイン利用者が所望の位置にマイクユニットを移動させると、当該マイクユニット位置データを取得して利用者ＩＤを付帯させ、ＨＤＤ等の記憶装置に記憶させるためのプログラムにより構成する。また、移動位置制御手段は、ステッピングモータに対して駆動制御信号を送信するための電子回路及びプログラムにより構成する。
【発明の効果】
【００１８】
本発明のマイクロホンによれば、マイクユニットをグリップ部の長手方向に移動させることができる。したがって、マイクロホンの使用者（例えば歌唱者）自らが持ちやすい位置にマイクロホンを保持した状態で、使用者自らの音声をはっきり聞き取ることができるように、マイクユニットの位置を調整することができる。これにより、マイクロホンの操作技術に精通していない使用者であっても、自らが持ちやすい位置にマイクロホンを保持したままで、好適な声圧を確保することが可能となる。
【００１９】
また、このマイクロホンを用いたカラオケシステムにおいて、予めカラオケ利用者毎に所望のマイクユニット位置を記憶しておき、現にマイクロホンを使用する歌唱者が所望するマイクユニット位置となるようにマイクユニットを移動させる構成とした場合には、マイクロホンの操作技術に精通していない歌唱者であっても、歌唱の途中あるいは楽曲毎にマイクポジションを調整することなく、自らが持ちやすい位置にマイクロホンを保持したままで、好適な声圧を確保することが可能となり、自らの歌唱音声をはっきり聞き取ることができ、歌唱の楽しさを十分に味わうことができる。
【図面の簡単な説明】
【００２０】
【図１】本発明の第１の実施形態に係るマイクロホンの一部を断面とした説明図。
【図２】本発明の第２の実施形態に係るマイクロホンの一部を断面とした説明図。
【図３】本発明の第２の実施形態に係るマイクロホンを用いたカラオケシステムの概略ブロック図。
【発明を実施するための形態】
【００２１】
以下、本発明の実施形態に係るマイクユニット位置の調節機構付きマイクロホン（以下、マイクロホンという）及びカラオケシステムについて説明する。なお、以下に示す実施形態では、カラオケシステムにおいて使用するマイクロホンに着目して説明を行っているため、マイクロホンの利用者を歌唱者として説明しているが、本発明のマイクロホンは、カラオケシステム以外に使用できることは勿論である。
【００２２】
＜基本構成＞
本発明の実施形態に係るマイクロホンは、カラオケシステムに好適に使用されるもので、特に歌唱者の好みに応じてそれぞれ異なるマイクポジション（口元とマイクユニットとの距離）に対応させて、好適な声圧を得ることができるようになっている。このマイクロホンは、基本構成として、マイクユニットをグリップ部の長手方向に沿って移動可能に支持する支持手段と、マイクユニットを任意の位置に移動させる移動手段と、を備えている。なお、マイクユニットとは、ダイナミックマイクの場合には、コイルをドーム状に形成したプラスチックの振動板（ダイヤフラム）に固定し、このダイヤフラムが音波を受けて振動し、磁界内でコイルが動くことにより音声信号を得る構造を有する機構のことをいう。また、コンデンサマイクの場合には、互いに平行な２枚の金属板を近接させてなるコンデンサの一方をダイヤフラム（蒸着金属を貼り付けたプラスチックフィルムや金属薄膜等）に置き換えた構造を有する機構のことをいう。
【００２３】
＜第１の実施形態＞
図１を参照して、第１の実施形態に係るマイクロホンを説明する。図１は、第１の実施形態に係るマイクロホンの一部を断面とした説明図である。
【００２４】
第１の実施形態に係るマイクロホン１０は、グリップ部１１の先端部にマイクユニット１２を取り付け、グリップ部１１の先端部及びマイクユニット１２を風防１３により覆っている。
【００２５】
＜グリップ部＞
グリップ部１１は、マイクロホン１０を使用する歌唱者が握持する部分で、内部が空洞となっており、空洞内にマイクユニット１２が収納されている。また、マイクユニット１２を収納する部分にはグリップ部１１に対して回転可能となった回転駆動部１４が取り付けられている。この回転駆動部１４の内面には、マイクユニット１２の移動ネジ部１５ａと噛み合う回転ネジ部１５ｂが設けられており、外周面には、利用者が回転駆動部１４を操作するための手回しリング１６が一体に設けられている。さらに、回転駆動部１４の基端部側には、マイクユニット１２に設けた回転抑制板１７ａに当接することによりマイクユニット１２の回転を規制するための回転抑制板１７ｂが設けられている。
【００２６】
＜マイクユニット＞
マイクユニット１２は、先端部が開放状となった筐体１８の内部に、マグネット１９、ヨーク２０、リングヨーク２１、振動板２２、ボイスコイル２３、プロテクター２４を配設したダイナミック型であり、筐体１８の側面及びプロテクター２４には透音孔２５が設けられている。また、筐体１８の側面には、回転駆動部１４に設けた回転ネジ部１５ｂに噛み合う移動ネジ部１５ａが設けられている。さらに、筐体１８の基端側の外側面には、グリップ部１１に設けた回転抑制板１７ｂに当接することによりマイクユニット１２の回転を規制するための回転抑制板１７ａが設けられている。
【００２７】
＜具体的な装置と手段との対応関係＞
このような構成からなるマイクロホン１０では、グリップ部１１を構成する回転駆動部１４、回転ネジ部１５ｂ、回転抑制板１７ｂ、マイクユニット１２を構成する筐体１８、移動ネジ部１５ａ、側回転抑制板１７ａが、支持手段及び移動手段の双方として機能する。
【００２８】
＜マイクユニットの移動位置設定＞
本実施形態のマイクロホン１０は、歌唱者が手回しリング１６を操作することにより、これと一体となった回転駆動部１４が回転する。そして、回転ネジ部１５ｂに移動ネジ部１５ａが噛み合っているため、回転駆動部１４の回転に伴って、マイクユニット１２の筐体１８がグリップ部１１の長手方向に移動する。この際、図１において、筐体１８の右側に設けた回転抑制板１７ａが紙面奥側へ向かって移動するような回転力が加わった場合には、筐体１８の右側に設けた回転抑制板１７ａが、グリップ部１１の右側に設けた回転抑制板１７ｂに紙面手前側から当接して、その回転が抑制される。一方、図１において、筐体１８の左側に設けた回転抑制板１７ａが紙面奥側へ向かって移動するような回転力が加わった場合には、筐体１８の左側に設けた回転抑制板１７ａが、グリップ部１１の左側に設けた回転抑制板１７ｂに紙面手前側から当接して、その回転が抑制される。
【００２９】
このようにして、歌唱者が所望の位置にマイクロホン１０を保持して手回しリング１６を操作することにより、歌唱者の口元とマイクユニット１２（振動板２２）との距離を近づけたり、遠ざけたりすることができる。これにより、歌唱者自らが持ちやすい位置にマイクロホン１０を保持した状態で、歌唱者自らの音声をはっきり聞き取ることができるように、マイクユニット１２の位置を調整することができる。
【００３０】
＜第２の実施形態＞
図２及び図３を参照して、第２の実施形態に係るマイクロホン及びこれを用いたカラオケシステムを説明する。図２は、第２の実施形態に係るマイクロホンの一部を断面とした説明図、図３は第２の実施形態に係るマイクロホンを用いたカラオケシステムの概略ブロック図ある。なお、図３には、本実施形態に必要な構成要素のみを示しているが、カラオケシステムは、これらの構成要素の他に公知の構成要素を含んでいる。
【００３１】
第２の実施形態に係るマイクロホン１１０は、グリップ部１１の先端部にマイクユニット１２を取り付け、グリップ部１１の先端部及びマイクユニット１２を風防１３により覆っている。また、本実施形態のマイクロホン１１０には、カラオケ本体４１との間でデータの送受信を行うための通信部１１０ａが設けられている。
【００３２】
＜グリップ部＞
グリップ部１１は、マイクロホン１１０を使用する歌唱者が握持する部分で、内部が空洞となっており、空洞内にマイクユニット１２が収納されている。また、マイクユニット１２を収納する部分には、グリップ部１１に対してマイクユニット１２を支持するための支持筒２６が設けられている。この支持筒２６の内面に、マイクユニット１２の筐体１８を収納することにより、マイクユニット１２をスライド可能に支持するようになっている。さらに、グリップ部１１の外面には、マイクユニット１２の移動位置の設定に使用するためスイッチ部２７が設けられている。このスイッチ部２７は、マイクユニット１２を利用者の口元に近づく方向へ移動させる接近ボタン２７ａ、マイクユニット１２を利用者の口元から遠ざかる方向へ移動させる離隔ボタン２７ｂ、移動位置の設定を行う設定ボタン２７ｃを備えており、後に詳述する移動位置制御手段３１に対して電気的に接続されている。
【００３３】
＜マイクユニット＞
また、マイクユニット１２は、先端部が開放状となった筐体１８の内部に、マグネット１９、ヨーク２０、リングヨーク２１、振動板２２、ボイスコイル２３、プロテクター２４を配設したダイナミック型であり、筐体１８の側面及びプロテクター２４には透音孔２５が設けられている。また、筐体１８の基端部には、ラックギヤ２８ａが突出して設けられており、ラックギヤ２８ａの途中にはピニオンギヤ２８ｂが噛み合わさっている。さらに、ピニオンギヤ２８ｂには、ステッピングモータ２９の回転軸が接続されており、ステッピングモータ２９の回転に伴い、ピニオンギヤ２８ｂが回転して、ラックギヤ２８ａに接続されたマイクユニット１２を、グリップ部１１の長手方向に移動させることができる。また、ステッピングモータ２９には、移動位置制御手段３１及び電源３０が電気的に接続されている。
【００３４】
＜移動位置制御手段＞
移動位置制御手段３１は、現にマイクロホン１１０を使用する利用者の利用者ＩＤに対応したマイクユニット位置データに基づく移動位置となるようにステッピングモータ２９を制御するための電子回路及びプログラムからなり、例えば、マイクロコンピュータ等により構成される。なお、移動位置制御手段３１をマイクロホン１１０に設けるのではなく、カラオケ本体４１の構成要素としてもよい。
【００３５】
＜具体的な装置と手段との対応関係＞
このような構成からなるマイクロホン１１０では、支持筒２６が支持手段として機能し、ラックギヤ２８ａ、ピニオンギヤ２８ｂ、ステッピングモータ２９が移動手段として機能する。
【００３６】
＜カラオケシステム＞
第２の実施形態に係るマイクロホン１１０を用いたカラオケシステム４０は、図３に示すように、主要な構成要素として、カラオケ本体４１、カラオケリモコン装置５３、モニタ５７、スピーカ５５、ミキシングアンプ５６を備えている。
【００３７】
＜カラオケリモコン装置＞
カラオケリモコン装置５３は、ユーザインタフェース機能を備えており、カラオケ本体４１の送受信手段４６に対して有線方式又は無線方式によりデータの送受信を行うようになっている。このカラオケリモコン装置５３は、利用者ＩＤ取得手段５３ａとして機能する電子回路及びプログラムを備えている。また、図示しないが、カラオケリモコン装置５３は、データの送受信を行うための電子回路及びプログラム、フラッシュメモリ等からなる記憶部、楽曲検索手段として機能するプログラム、楽曲索引データベース等を備えている。このカラオケリモコン装置５３に付帯するスイッチ類や、入出力表示部（図示せず）に表示される各種のアイコン等を操作することにより、選曲操作等が行われる。
【００３８】
＜利用者ＩＤ取得手段＞
利用者ＩＤ取得手段５３ａは、利用者がカラオケシステム４０を利用する際に、利用者が所持するＩＤ媒体５４から利用者ＩＤを取得するための電子回路及びプログラムからなる。利用者ＩＤ取得手段５３ａで取得した利用者ＩＤは、ＲＡＭ４４に一時的に記憶されて、ログイン利用者管理手段４８で管理される。ＩＤ媒体５４は、例えば、非接触型のＩＤカード、携帯電話、携帯情報端末等からなり、利用者ＩＤを記憶して、利用者ＩＤ取得手段５３ａとの間でデータの送受信を行うことができるようになっている。
【００３９】
＜カラオケ本体＞
カラオケ本体４１は、中央制御手段４２、ＲＯＭ４３、ＲＡＭ４４、ＨＤＤ４５、送受信手段４６、予約管理手段４７、ログイン利用者管理手段４８、利用者別マイクユニット位置データ記憶手段４９、マイクデータ送受信手段５０、音楽再生制御手段５１、映像再生制御手段５２、マイクユニット位置データ抽出手段５８を備えている。
【００４０】
＜中央制御手段＞
中央制御手段４２は、カラオケ本体４１を総合的に制御するための手段であり、例えばＣＰＵ及びその周辺機器により構成されており、ＣＰＵ等がＲＯＭ４３等に記憶されたアプリケーションプログラムに従って動作することにより、制御機能を発揮することができるようになっている。
【００４１】
＜ＲＯＭ／ＲＡＭ＞
ＲＯＭ４３は、カラオケ本体４１を構成する各機器を制御するためのアプリケーションプログラムデータや数値データを記憶するための機器で、例えば半導体メモリ等で構成される。また、ＲＡＭ４４は、アプリケーションプログラムや各種データを一時的に記憶する一時記憶領域として機能するもので、例えば半導体メモリ等で構成される。なお、物理的な半導体メモリによりＲＡＭ４４を構成するのではなく、ハードディスク記憶装置等を用いて仮想的なＲＡＭ４４を構成してもよい。本実施形態では、ＲＡＭ４４に、予約待ち行列４４ａが記憶されるようになっている。
【００４２】
＜ＨＤＤ＞
ＨＤＤ４５は、大容量記憶装置として機能するもので、楽曲データベース４５ａ、映像データベース４５ｂ、利用者別マイクユニット位置データベース４５ｃが格納されている。なお、ＨＤＤ４５に替えて、あるいはＨＤＤ４５と共に、データを書き替え可能なＤＶＤ等の大容量記憶装置を用いてもよい。
【００４３】
＜楽曲データベース／映像データベース＞
楽曲データベース４５ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期されたカラオケ楽曲の歌詞文字データである。なお、歌詞文字データには、歌詞文字の表示色データ、色変わりデータ等が含まれている。映像データベース４５ｂは、演奏されるカラオケ楽曲に対応した背景映像を、当該カラオケ楽曲の楽曲ＩＤに対応させた映像ファイルとして所定数格納したデータベースである。
【００４４】
＜利用者別マイクユニット位置データベース＞
利用者別マイクユニット位置データベース４５ｃは、各利用者が所望するマイクユニット位置データと、各利用者の利用者ＩＤとを対応付けて構築したデータベースである。移動位置制御手段３１では、この利用者別マイクユニット位置データベース４５ｃに格納された利用者別のマイクユニット位置データに基づいてステッピングモータ２９の駆動を制御することにより、歌唱者が所望する位置にマイクユニット１２を移動させることができる。
【００４５】
＜送受信手段＞
送受信手段４６は、カラオケ本体４１とカラオケリモコン装置５３との間で、データの送受信を行うための電子回路及びプログラムからなる。本実施形態では、赤外線通信により、カラオケ本体４１とカラオケリモコン装置５３との間で、データの送受信が行われる。
【００４６】
＜予約管理手段＞
予約管理手段４７は、カラオケリモコン装置５３の楽曲検索機能を用いて選曲され、送受信手段４６を介して送信された当該選曲者の利用者情報（例えば利用者ＩＤ）及び選曲された楽曲ＩＤを対応付けて予約待ち行列４４ａとしてＲＡＭ４４に格納し、管理するためのプログラムである。
【００４７】
＜ログイン利用者管理手段＞
ログイン利用者管理手段４８は、現に当該カラオケシステム４０にログインしている利用者を、利用者ＩＤに基づき特定して管理するためのプログラムからなる。すなわち、ログイン利用者管理手段４８では、利用者ＩＤ取得手段５３ａにより利用者ＩＤが取得された場合に、この利用者ＩＤに基づいてカラオケシステム４０にログインしている利用者を特定して管理する。
【００４８】
＜利用者別マイクユニット位置データ記憶手段＞
利用者別マイクユニット位置データ記憶手段４９は、各利用者が所望するマイクユニット位置データを取得し、当該マイクユニット位置データに各利用者の利用者ＩＤを付帯させて、ＨＤＤ４５の利用者別マイクユニット位置データベース４５ｃに格納させるためのプログラムからなる。上述したように、移動位置制御手段３１では、この利用者別マイクユニット位置データベース４５ｃに格納された利用者別のマイクユニット位置データに基づいてステッピングモータ２９の駆動を制御することにより、歌唱者が所望する位置にマイクユニット１２を移動させることができる。
【００４９】
＜マイクユニット位置データ抽出手段＞
マイクユニット位置データ抽出手段５８は、カラオケ楽曲の歌唱者（選曲予約者）の利用者ＩＤを取得し、利用者別マイクユニット位置データベース４５ｃから当該利用者ＩＤに対応する制御用マイクユニット位置データを抽出するためのプログラムからなる。
【００５０】
＜マイクデータ送受信手段＞
マイクデータ送受信手段５０は、マイクロホン１１０に設けられた通信部１１０ａとの間でデータの送受信を行うための電子回路及びプログラムからなる。本実施形態では、赤外線通信により、マイクデータ送受信手段５０と通信部１１０ａとの間で、マイクユニット位置データ等の送受信が行われる。
【００５１】
＜音楽再生制御手段＞
音楽再生制御手段５１は、楽曲ＩＤに基づいて楽曲データベース４５ａから抽出された演奏データをデジタル再生すると共にアナログ変換してミキシングアンプ５６に出力するための電子回路である。ミキシングアンプ５６は、マイクロホン１１０から入力された歌唱者の歌唱音声信号と、音楽再生制御手段５１から送出される演奏音声信号とをミキシングすると共に、アンプ機能により増幅してスピーカ５５より出力させるための装置である。
【００５２】
＜映像再生制御手段＞
映像再生制御手段５２は、カラオケ楽曲の演奏中に、映像データベース４５ｂから抽出した映像データ及び楽曲データベース４５ａから抽出した楽曲データのうちの歌詞テロップデータ（歌詞文字データ）を、当該カラオケ楽曲の演奏データに同期させてモニタ５７に出力するための電子回路である。この際、カラオケ楽曲の演奏進行に従って、歌詞文字が色変わりして表示される。
【００５３】
＜マイクユニットの移動位置設定＞
本実施形態のマイクロホン１１０で、マイクユニット１２の移動位置設定を行う手順を説明する。まず、カラオケリモコン装置５３の入出力表示部において、マイクユニット位置の設定モードを選択する。この設定モードでは、ログイン利用者管理手段４８にて利用者ＩＤが管理されているログイン利用者の中から設定を行う利用者を特定する。そして、当該特定された利用者自らが持ちやすい位置にマイクロホン１１０を保持した状態で、接近ボタン２７ａ又は離隔ボタン２７ｂを操作することにより、移動位置制御手段３１に対して移動指示信号を送信する。移動位置制御手段３１は、移動指示信号に基づいてステッピングモータ２９に移動位置制御信号を送信してステッピングモータ２９を駆動し、マイクユニット１２の位置を調整する。そして、利用者自らの音声をはっきり聞き取ることができる位置にマイクユニット１２が移動したら、設定ボタン２７ｃを操作することにより、移動位置制御手段３１に対して移動位置記憶信号が送信される。
【００５４】
移動位置記憶信号を受信した移動位置制御手段３１は、ステッピングモータ２９の回転位置に基づく記憶用マイクユニット位置データを、マイクデータ送受信手段５０を介して利用者別マイクユニット位置データ記憶手段４９に送信する。利用者別マイクユニット位置データ記憶手段４９は、受信した記憶用マイクユニット位置データに対して、ログイン利用者管理手段４８で管理している利用者ＩＤを付帯させて、利用者別マイクユニット位置データベース４５ｃに格納する。なお、マイクユニット１２の移動位置設定モードにおいて、設定を行っている利用者の利用者ＩＤは、ログイン利用者管理手段４８から取得するものとする。
【００５５】
そして、予約待ち行列４４ａに従ってカラオケ楽曲の演奏が開始されると、マイクユニット位置データ抽出手段５８は、当該カラオケ楽曲の歌唱者（選曲予約者）の利用者ＩＤを取得し、利用者別マイクユニット位置データベース４５ｃから当該利用者ＩＤに対応する制御用マイクユニット位置データを抽出して、マイクデータ送受信手段５０を介して移動位置制御手段３１に送信する。移動位置制御手段３１は、受信したマイクユニット位置データに基づいてステッピングモータ２９の駆動制御を行い、当該歌唱者が所望する位置にマイクユニット１２を移動させる。これにより、歌唱者自らが持ちやすい位置にマイクロホン１１０を保持した状態で、歌唱者自らの音声をはっきり聞き取ることができるように、マイクユニット１２の位置を調整することができる。
【００５６】
なお、本実施形態のマイクロホン１１０では、マイクユニット１２の移動位置を利用者ＩＤに基づいて自動設定するだけではなく、マイクユニット１２の移動位置を歌唱者の意思に基づいて調整することができる。すなわち、設定モードにおける操作と同様に、歌唱者自らが持ちやすい位置にマイクロホン１１０を保持した状態で、接近ボタン２７ａ又は離隔ボタン２７ｂを操作することにより、マイクユニット１２の位置を調整することができる。
【００５７】
＜他の実施形態＞
本発明のマイクロホン及びこのマイクロホンを使用したカラオケシステムの周辺装置を構成する機器や手段は上述したものに限定されず、その利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５８】
＜ネットワークカラオケシステム＞
また、上述した実施形態は、カラオケ本体及びその付属機器をスタンドアロンで使用した例を示しているが、各カラオケ店舗等に設置されたカラオケ本体及びその付属機器を端末装置とし、インターネット回線等を用いて、端末装置とホスト装置とをネットワーク接続した構成とすることもできる。この場合には、ホスト装置において、利用者ＩＤや、中途採点値データ等を集中管理することにより、ネットワーク接続された各カラオケ本体及び付属機器において同様のサービスを提供することができる。
【符号の説明】
【００５９】
１０、１１０  マイクロホン
１１０ａ  通信部
１１  グリップ部
１２  マイクユニット
１３  風防
１４  回転駆動部
１５ａ  移動ネジ部
１５ｂ  回転ネジ部
１６  手回しリング
１７ａ  回転抑制板（マイクユニット）
１７ｂ  回転抑制板（グリップ部）
１８  筐体
１９  マグネット
２０  ヨーク
２１  リングヨーク
２２  振動板
２３  ボイスコイル
２４  プロテクター
２５  透音孔
２６  支持筒
２７  スイッチ部
２７ａ  接近ボタン  接近
２７ｂ  離隔ボタン  離隔
２７ｃ  設定ボタン
２８ａ  ラックギヤ
２８ｂ  ピニオンギヤ
２９  ステッピングモータ
３０  電源
３１  移動位置制御手段
４０  カラオケシステム
４１  カラオケ本体
４２  中央制御手段
４３  ＲＯＭ
４４  ＲＡＭ
４４ａ  予約待ち行列
４５  ＨＤＤ
４５ａ  楽曲データベース
４５ｂ  映像データベース
４５ｃ  利用者別マイクユニット位置データベース
４６  送受信手段
４７  予約管理手段
４８  ログイン利用者管理手段
４９  利用者別マイクユニット位置データ記憶手段
５０  マイクデータ送受信手段
５１  音楽再生制御手段
５２  映像再生制御手段
５３  カラオケリモコン装置
５３ａ  利用者ＩＤ取得手段
５４  ＩＤ媒体
５５  スピーカ
５６  ミキシングアンプ
５７  モニタ
５８  マイクユニット位置データ抽出手段
【図１】
2010278880.tif 000003
【図２】
2010278880.tif 000004
【図３】
2010278880.tif 000005